(57)【要約】      （修正有）【課題】電力の消費を抑制しつつ、使用期間が所定期間に達したことを判定し得るガスコンロを提供する。【解決手段】ガスコンロは、点火スイッチの点火操作に応じて電力供給を開始する電源回路と、電源回路から電力が供給されているときに所定位置の温度を示す温度検出値を出力するサーミスタと、フラッシュメモリと、複数回の記憶制御によってフラッシュメモリに記憶された温度情報に基づき、当該ガスコンロの使用期間が所定期間に達したか否かを判定するＣＰＵと、を備える。【選択図】図５
2019007655.tif 000002
【特許請求の範囲】
【請求項１】
内部に電池が収容される筐体部と、
前記筐体部内に少なくとも一部が収容されるガスバーナと、
前記筐体部の外側から操作される部位であり、少なくとも一部が前記筐体部から露出する操作部と、
を備えるガスコンロであって、
前記電池からの電力に基づいて前記筐体部内に収容された電子部品を動作させるための電力を生じさせ、前記操作部に対する所定の操作に応じて電力供給を開始する電源部と、
所定位置に配置され、前記電源部から電力が供給されているときに前記所定位置の温度を示す温度検出値を出力する温度センサと、
前記電池が前記筐体部の外側に取り外されたときでも情報が保持される不揮発性の記憶部と、
所定条件の成立時に、前記温度センサから出力される温度検出値を反映した温度情報を前記記憶部に記憶する制御を行う記憶制御部と、
前記記憶制御部の複数回の記憶制御によって前記記憶部に記憶された前記温度情報に基づき、当該ガスコンロの使用期間が所定期間に達したか否かを判定する判定部と、
を備えるガスコンロ。
【請求項２】
前記操作部は、前記ガスバーナを点火させるための点火操作に用いられる１以上の点火操作部を含み、
前記電源部は、前記点火操作部に対して点火操作がなされた場合に電力供給を開始し、
前記記憶制御部は、前記点火操作部に対して点火操作がなされた場合に前記温度情報を前記記憶部に記憶する請求項１に記載のガスコンロ。
【請求項３】
前記判定部は、前記記憶部に複数回記憶される前記温度情報に基づき、いずれかの時点で前記温度センサによって検出された温度を下回ることなく温度が所定の上昇温度幅以上上昇する上昇条件、又は、いずれかの時点で前記温度センサによって検出された温度を上回ることなく温度が所定の下降温度幅以上下降する下降条件のうち、少なくともいずれかの条件が所定回数発生した場合に、当該ガスコンロの使用期間が前記所定期間に達したと判定する請求項１又は請求項２に記載のガスコンロ。
【請求項４】
前記判定部は、前記温度センサから出力される温度検出値のうち、所定の温度範囲内にある正常検出値に基づいて当該ガスコンロの使用期間が前記所定期間に達したか否かを判定する請求項１から請求項３のいずれか一項に記載のガスコンロ。
【請求項５】
当該ガスコンロの使用期間が前記所定期間に達したと前記判定部が判定した場合に所定報知を行う報知部を備える請求項１から請求項４のいずれか一項に記載のガスコンロ。
【請求項６】
前記記憶制御部は、前記操作部に対して所定の操作が行われた回数である所定操作回数を前記記憶部に記憶し、
前記報知部は、当該ガスコンロの使用期間が前記所定期間に達していない場合であっても、前記記憶部に記憶された前記所定操作回数が閾値回数に達した場合には、前記所定報知と同一の報知又は前記所定報知と異なる報知を行う請求項５に記載のガスコンロ。
【請求項７】
前記記憶制御部は、前記操作部に対して所定の操作が行われた回数である所定操作回数を前記記憶部に記憶し、
前記報知部は、当該ガスコンロの使用期間が前記所定期間に達したと前記判定部が判定した場合であっても、前記記憶部に記憶された前記所定操作回数が閾値回数に達していない場合には、前記所定報知を行わない請求項５又は請求項６に記載のガスコンロ。
【請求項８】
当該ガスコンロの使用期間が前記所定期間に達したと前記判定部が判定した場合に前記ガスバーナの最大火力を正常状態のときの最大火力よりも低い低レベル状態に制限する制御部を備える請求項１から請求項７のいずれか一項に記載のガスコンロ。
【発明の詳細な説明】
【技術分野】
【０００１】
本発明は、ガスコンロに関するものである。
【背景技術】
【０００２】
従来より、経年劣化した燃焼器具が点検や修理を受けずに継続して使用されることを防ぐための技術が知られている。例えば、特許文献１で開示される燃焼機器は、電源部と、電源部を介して電力供給が開始されてからの運転時間を計時するタイマと、メンテナンスを要求する報知期間を記憶する記憶部と、メンテナンスを要する旨を報知する表示部と、を備えている。そして、タイマによって計時された運転時間が記憶部に記憶した所定の報知期間（例えば３年や１０年）に到達すると、表示部にメンテナンス要求メッセージを表示する構成となっている。
【先行技術文献】
【特許文献】
【０００３】
【特許文献１】特開２０１１−５２９２７号公報
【発明の概要】
【発明が解決しようとする課題】
【０００４】
しかしながら、特許文献１の燃焼機器では、タイマが電源部から供給される電力を用いて運転時間を計時する構成であるため、所定の報知期間（電源部の電力供給が開始されてから経過する年数）が長い場合、この報知期間中常にタイマで電力が消費されてしまう。このような電力消費を抑制するためには、例えば燃焼器具が燃焼動作を行わない期間にタイマへの電力供給を停止させるような制御を行う構成が考えられる。しかしながら、このような構成とした場合、電力消費の低減を図れたとしても、燃焼動作を行わない期間はタイマで運転時間を計時することができなくなってしまう。そのため、長く燃焼動作を行わない期間が続いたり、燃焼動作を行わない期間が頻発するような場合、燃焼動作を行う期間は計測できても、燃焼動作を行わない期間を含む使用期間を計測することが難しくなる。したがって、経年劣化を考慮した報知期間を設定しても、使用期間が報知期間に達したか否か判定することができなくなってしまう。
【０００５】
本発明は、上述した課題を解決するためになされたものであり、電力の消費を抑制しつつ、使用期間が所定期間に達したことを判定し得るガスコンロを提供することを目的とするものである。
【課題を解決するための手段】
【０００６】
本発明のガスコンロは、
内部に電池が収容される筐体部と、
前記筐体部内に少なくとも一部が収容されるガスバーナと、
前記筐体部の外側から操作される部位であり、少なくとも一部が前記筐体部から露出する操作部と、
を備えるガスコンロであって、
前記電池からの電力に基づいて前記筐体部内に収容された電子部品を動作させるための電力を生じさせ、前記操作部に対する所定の操作に応じて電力供給を開始する電源部と、
所定位置に配置され、前記電源部から電力が供給されているときに前記所定位置の温度を示す温度検出値を出力する温度センサと、
前記電池が前記筐体部の外側に取り外されたときでも情報が保持される不揮発性の記憶部と、
所定条件の成立時に、前記温度センサから出力される温度検出値を反映した温度情報を前記記憶部に記憶する制御を行う記憶制御部と、
前記記憶制御部の複数回の記憶制御によって前記記憶部に記憶された前記温度情報に基づき、当該ガスコンロの使用期間が所定期間に達したか否かを判定する判定部と、
を備える。
【発明の効果】
【０００７】
上記ガスコンロは、所定条件が成立するごとに、所定位置に配置される温度センサによって出力される温度検出値を反映した温度情報が記憶部に記憶される構成をなす。温度センサによって温度検出値が複数回検出されれば、この温度検出値は季節変化を特定し得るデータとなっている可能性があり、温度検出値の数が多くなるほどそれらを反映した情報は、季節変化を特定し得るデータである可能性が高まる。このような思想を前提とし、複数回の記憶制御によって記憶部に記憶された温度情報に基づき、当該ガスコンロの使用期間が所定期間に達したか否かを判定すれば、ガスコンロの使用期間が所定期間に達したか否か判定することができる。しかも、この構成であれば、操作部による所定操作前の期間（電源投入されておらず、温度センサが動作しない期間）を、電力消費を抑える期間とすることが可能となり、常時電力を必要とするタイマなどを用いずとも、使用期間が所定期間に達したか否か判定することが可能なガスコンロを実現できる。
【図面の簡単な説明】
【０００８】
【図１】実施例１のガスコンロを例示する斜視図である。
【図２】実施例１のガスコンロの電気的構成を示すブロック図である。
【図３】図２の制御回路で実行される制御の流れを示すフローチャートである。
【図４】サーミスタで検出された温度検出値で示される温度の検出回に対する変化を説明する説明図である。
【図５】フラッシュメモリに記憶される温度情報の検出回に対する変化を例示して説明する説明図である。
【図６】実施例２の制御回路で実行される制御の流れを示すフローチャートである。
【発明を実施するための形態】
【０００９】
以下、本発明の望ましい例を示す。但し、本発明は、以下の例に限定されない。
操作部は、ガスバーナを点火させるための点火操作に用いられる１以上の点火操作部を含んでいてもよい。電源部は、点火操作部に対して点火操作がなされた場合に電力供給を開始してもよい。記憶制御部は、点火操作部に対して点火操作がなされた場合に温度情報を記憶部に記憶してもよい。
【００１０】
このガスコンロは、点火操作部に対する点火操作に応じて電源部からの電力供給が開始されるため、点火操作前は、電力供給を抑える期間とすることができる。そして、点火が行われる時に限定して、使用期間を把握するための情報（温度情報）を生成し、記憶することができるため、電力消費の観点で、より効率的な情報収集が可能となる。また、点火操作が行われる毎に情報収集を行うことができるため、こまめに情報を収集することができ、長期間にわたって温度情報が収集されないような事態を回避することができる。ゆえに、使用期間がより正確に把握されやすくなる。
【００１１】
判定部は、記憶部に複数回記憶される温度情報に基づき、いずれかの時点で温度センサによって検出された温度を下回ることなく温度が所定の上昇温度幅以上上昇する上昇条件、又は、いずれかの時点で温度センサによって検出された温度を上回ることなく温度が所定の下降温度幅以上下降する下降条件のうち、少なくともいずれかの条件が所定回数発生した場合に、当該ガスコンロの使用期間が所定期間に達したと判定してもよい。
【００１２】
いずれかの時点で温度センサによって検出された温度を下回ることなく温度が所定の上昇温度幅以上上昇する上昇条件が発生した場合、その「いずれかの時点」で検出された温度は、冬の季節の最も低い気温に相当する可能性が高く、その検出温度を下回ることなく温度が所定の上昇温度幅以上上昇する上昇条件が発生した場合、季節が冬から夏へ向かって転じた可能性が高い。よって、上記判定部によれば、このように冬から夏へ向かって転じた状態を特徴的な方法によって特定することができる。或いは、いずれかの時点で温度センサによって検出された温度を上回ることなく温度が所定の下降温度幅以上下降する下降条件が発生した場合に、その「いずれかの時点」で検出された温度は、夏の季節の最も高い気温に相当する可能性が高く、その検出温度を下回ることなく温度が所定の下降温度幅以上下降する上昇条件が発生した場合、季節が夏から冬へ向かって転じた可能性が高い。よって、上記判定部によれば、このように夏から冬へ向かって転じた状態を特徴的な方法によって特定することができる。そして、このような条件の発生回数は、ガスコンロの使用期間を反映する値であるため、少なくともいずれかの条件が所定回数発生した場合にガスコンロの使用期間が所定期間に達したと判定すれば、ガスコンロの使用期間が想定する基準に達したか否かを、常時動作するタイマなどを用いずとも、より正確に判定しやすくなる。
【００１３】
判定部は、温度センサから出力される温度検出値のうち、所定の温度範囲内にある正常検出値に基づいて当該ガスコンロの使用期間が所定期間に達したか否かを判定してもよい。このように、所定の温度範囲内にある正常検出値に基づいてガスコンロの使用期間が所定期間に達したか否かを判定することで、ガスバーナの火炎などの影響を受けて所定の温度範囲内にない温度検出値を用いて正確な使用期間が導出されなくなる事態を防ぐことができる。
【００１４】
ガスコンロの使用期間が所定期間に達したと判定部が判定した場合に所定報知を行う報知部を備えていてもよい。このように、ガスコンロの使用期間が所定期間に達したことを報知することができ、使用者にガスコンロの点検や修理などの対応を促すことができる。
【００１５】
記憶制御部は、操作部に対して所定の操作が行われた回数である所定操作回数を記憶部に記憶してもよい。報知部は、当該ガスコンロの使用期間が所定期間に達していない場合であっても、記憶部に記憶された所定操作回数が閾値回数に達した場合には、所定報知と同一の報知又は所定報知と異なる報知を行ってもよい。このガスコンロは、ガスコンロの使用期間が所定期間に達したときだけ報知を行うのではなく、使用期間が所定期間に達していないと判定される場合であっても、操作部の操作回数が想定以上に多い場合には報知を行うことができる。このように、使用期間及び操作回数の両方の観点で使用の進展を判断し、いずれかが基準に達した場合に報知を行うようにすれば、使用者はより安全性の高い状況（使用期間及び操作回数がいずれの基準まで到達してない状況）を把握しやすくなる。
【００１６】
記憶制御部は、操作部に対して所定の操作が行われた回数である所定操作回数を記憶部に記憶してもよい。報知部は、当該ガスコンロの使用期間が所定期間に達したと判定部が判定した場合であっても、記憶部に記憶された所定操作回数が閾値回数に達していない場合には、所定報知を行わない構成としてもよい。ガスコンロの使用期間が所定期間に達したと判定部が判定した場合であっても操作回数が比較的少ない場合には報知を行わないようにすれば、操作回数が少なくガスコンロの使用が継続し得る状態にある場合に、使用を継続させることができ、適切な状況下でガスコンロをより長く使用させることができる。
【００１７】
ガスコンロの使用期間が所定期間に達したと判定部が判定した場合にガスバーナの最大火力を正常状態のときの最大火力よりも低い低レベル状態に制限する制御部を備えていてもよい。このようにすれば、ガスコンロの使用期間が所定期間に達したことを、火力の低レベル状態によって使用者に知らせることができる。また、ガスバーナの使用にあたって利便性が損なわれるため、ガスコンロの点検や修理などの対応を使用者に促すことができる。更に、火力が低レベル状態となるため、使用がかなり進展した状況下で優先されるべき安全性をより高めることができる。
【００１８】
＜実施例１＞
以下、本発明を具現化した実施例１について、図面を参照して説明する。
（ガスコンロの基本構成）
図１を参照し、ガスコンロ１の基本構成を説明する。
図１で示すガスコンロ１は、テーブルガスコンロとして構成され、天板部３０と装置本体１Ａを備え、装置本体１Ａの上端部に天板部３０が固定された構成をなす。図1では、左側の操作パネル６９の具体的デザインを省略して示している。装置本体１Ａは、ガスコンロ１から天板部３０及び天板部３０に対する取付物（排気口カバー８０、五徳１８，１９など）を取り外した残りの部分を指す。装置本体１Ａは、外殻を構成する筐体部２、右側バーナ１４、左側バーナ１５、ガス供給装置（図示略）、グリル庫１２、排気路１３（図示略）などを備える。
【００１９】
筐体部２は、例えば金属材料によって構成され、上端部が開口する略直方体状に構成されている。筐体部２は、ガスコンロ１の外殻をなすとともにガスバーナ（右側バーナ１４、左側バーナ１５等）、乾電池６０などを収容するケースとして機能する部分である。筐体部２は、主に、筐体本体部４、前パネル５などを備える。筐体本体部４は、ガスコンロ１の左右両側に配置される一対の側壁部４Ａ，４Ｂと、後端側に配置される後壁部（図示略）と、下面側に配置される底壁部（図示略）とを備え、上端側及び前端側が開放した箱状形態をなす。前パネル５は、ガスコンロ１の前面部として機能する部分である。天板部３０は、ガスコンロ１の上面部として機能する部分である。天板部３０は、板状に構成された天板本体３１と、天板本体３１の周縁部に取り付けられる外枠体５０とを備え、全体として板状の形態をなす。天板部３０は、筐体部２の上端部に対して当該上端部の開口を閉塞する形態で固定される。グリル庫１２は、調理対象物を庫内に収容し得る構成をなす。排気路（図示略）は、グリル庫１２で生じた排気を天板部３０に形成された排気口（図示略）に誘導するように機能する。排気口カバー８０は、天板部３０上に載置される形で着脱可能に設置されるものであり、複数の通気孔８０Ａを備え、通気孔８０Ａを介して天板部３０の排気口から排出される排気を外部（ガスコンロ１の上方側）に放出する。
【００２０】
筐体部２内には、右側バーナ１４、左側バーナ１５、グリルバーナ（図示略）が収容されている。天板本体３１の左右両側には、円形状の一対の開口部３２，３３が形成され、これら開口部３２，３３にそれぞれ挿入される形態で右側バーナ１４及び左側バーナ１５が天板部３０の上方側に向けて突出して配置されている。右側バーナ１４及び左側バーナ１５の各周囲には、五徳１８，１９が夫々設置されている。ガスコンロ１の使用時には、五徳１８，１９の各上部にフライパン、鍋等の調理容器（図示略）が載置される。
【００２１】
右側バーナ１４へのガス供給経路には、右側ガス供給装置（図示略）が設けられている。右側ガス供給装置は、右側バーナ１４の点火消火を行うとともに、右側バーナ１４にガスを供給するための装置として機能する。ガス供給装置は、右側バーナ１４の点火又は消火を行うための操作部である点火スイッチ１６Ａと、装置本体１Ａの前方側に延出する操作レバー１６Ｂと、を備える。点火スイッチ１６Ａは、「操作部」の一例に相当し、筐体部２の外側から操作される部位であり、一部が筐体部２から露出している。ガス供給装置は、操作レバー１６Ｂの左右方向の変位に応じて右側バーナ１４へのガス供給量を調整するように動作する。
【００２２】
右側バーナ１４の内部（燃料ガスと一次空気との混合ガスの燃焼に用いる二次空気を下方側から上方側に導く供給通路の内側）には、コンロセンサ４０Ａが配置されている。コンロセンサ４０Ａは、五徳１８上に載置された調理容器の底部に接触して調理容器の底部の温度を検出する。コンロセンサ４０Ａは、センサヘッド４１Ａと、サーミスタ６３Ａと、を備えている。センサヘッド４１Ａは、上端側が閉塞された円筒状に形成され、図示しない支柱に対して相対的に上下方向に変位する構成をなす。サーミスタ６３Ａは、「温度センサ」の一例に相当し、検出温度に応じて抵抗が変わる公知のサーミスタによって構成されている。サーミスタ６３Ａは、例えばセンサヘッド４１Ａの天井部分の下面側に配置され、サーミスタ６３Ａが設置された位置の温度に応じた温度検出値を生成する。
【００２３】
左側バーナ１５へのガス供給経路には、左側ガス供給装置（図示略）が設けられている。左側ガス供給装置は、左側バーナ１５の点火消火を行うとともに、左側バーナ１５にガスを供給するための装置として機能する。左側ガス供給装置は、左側バーナ１５の点火又は消火を行うための操作部である点火スイッチ１７Ａと、装置本体１Ａの前方側に延出する操作レバー１７Ｂと、を備える。点火スイッチ１７Ａは、「操作部」の一例に相当し、筐体部２の外側から操作される部位であり、一部が筐体部２から露出している。左側ガス供給装置は、操作レバー１７Ｂの左右方向の変位に応じて左側バーナ１５へのガス供給量を調整するように動作する。
【００２４】
左側バーナ１５の内部（燃料ガスと一次空気との混合ガスの燃焼に用いる二次空気を下方側から上方側に導く供給通路の内側）には、コンロセンサ４０Ｂが配置されている。コンロセンサ４０Ｂは、五徳１９上に載置された調理容器の底部に接触して調理容器の底部の温度を検出する。コンロセンサ４０Ｂは、センサヘッド４１Ｂと、サーミスタ６３Ｂと、を備えている。センサヘッド４１Ｂは、上端側が閉塞された円筒状に形成され、図示しない支柱に対して相対的に上下方向に変位する構成をなす。サーミスタ６３Ｂは、「温度センサ」の一例に相当し、検出温度に応じて抵抗が変わる公知のサーミスタによって構成されている。サーミスタ６３Ｂは、例えばセンサヘッド４１Ｂの天井部分の下面側に配置され、サーミスタ６３Ｂが設置された位置の温度に応じた検出値を生成する。
【００２５】
グリルバーナ（図示略）は、グリル庫１２内で火炎を発生させてグリル庫１２内を加熱することで、グリル庫１２内に収容された調理対象物を加熱するように機能する。グリルバーナへのガス供給経路には、グリル側ガス供給装置（図示略）が設けられている。グリル側ガス供給装置は、グリルバーナの点火消火を行うとともに、グリルバーナにガスを供給するための装置として機能する。グリル側ガス供給装置は、グリルバーナの点火又は消火を行うための操作部である点火スイッチ１１Ａと、装置本体１Ａの前方側に延出する操作レバー１１Ｂ，１１Ｃと備える。点火スイッチ１１Ａは、「操作部」の一例に相当し、筐体部２の外側から操作される部位であり、一部が筐体部２から露出している。グリル側ガス供給装置は、操作レバー１１Ｂ，１１Ｃの左右方向の変位に応じてグリルバーナへのガス供給量を調整するように動作する。操作レバー１１Ｂ（上火用火力調整つまみ）は、グリルバーナにおける上側バーナの火力を調整するレバーであり、操作レバー１１Ｃ（下火用火力調整つまみ）は、グリルバーナにおける下側バーナの火力を調整するレバーである。
【００２６】
サーミスタ６３Ｃは、「温度センサ」の一例に相当し、グリル庫１２の内部又はグリル庫１２からの排気が流れる排気路内の温度を検出する。サーミスタ６３Ｃはグリル庫１２又は排気路内の所定位置に配置され、サーミスタ６３Ｃが設置された位置の温度に応じた検出値を生成する。
【００２７】
（ガスコンロの電気的構成）
ガスコンロ１は、図２のような電気的構成をなす。
図２のように、ガスコンロ１は制御回路７０を備える。制御回路７０は、ＣＰＵ７０Ａ、ＲＯＭ７０Ｂ、ＲＡＭ７０Ｃ、フラッシュメモリ７０Ｄに加え、図示しないタイマ、グリルタイマ、Ｉ／Ｏインタフェイス等を備える。フラッシュメモリ７０Ｄは、「不揮発性の記憶部」の一例に相当し、乾電池６０が筐体部２の外側に取り外されたときでも情報が保持されるように機能する。タイマ、グリルタイマはプログラムで作動するものである。ＣＰＵ７０Ａはガスコンロ１の各種動作を統括制御する。ＲＯＭ７０Ｂはガスコンロ１の各種制御プログラムを記憶し得る。
【００２８】
制御回路７０には、電源回路６１、スイッチ入力回路６２、サーミスタ入力回路６４、操作パネル入力回路６６、イグナイタ回路６８、ブザー装置７３、音声装置７５、表示装置７７等が各々接続されている。また、図示しない安全弁を動作させる安全弁回路（図示省略）や、図示しない電磁弁を動作させる電磁弁回路(図示省略)なども制御回路７０に接続されている。
【００２９】
電源回路６１は、電池ボックスに搭載される２つの乾電池６０からの電力供給を受け、各種回路に印加する直流電源を生成する機能を有する。電源回路６１は、「電源部」の一例に相当し、乾電池６０からの電力に基づいて筐体部２内に収容された電子部品を動作させるための電力を生じさせ、点火スイッチ１６Ａ，１７Ａ，１１Ａに対する所定の操作に応じて電力供給を開始するように機能する。スイッチ入力回路６２は、点火スイッチ１６Ａ，１７Ａ，１１Ａの押下を各々検出する。操作パネル入力回路６６は操作パネル６５，６９における各種操作の入力を行う。
【００３０】
サーミスタ入力回路６４は、サーミスタ６３Ａ〜６３Ｃで生成された温度検出値に対応する電圧信号（例えば、検出値そのもの、或いは検出値を増幅した増幅信号など）を制御回路７０に与える。なお、図１では、右側バーナ１４付近及び左側バーナ１５付近に配置されるサーミスタ６３Ａ，６３Ｂを例示しているが、その他の様々な場所にサーミスタを設けることができる。
【００３１】
イグナイタ回路６８は、各バーナにそれぞれ設けられたイグナイタ６７Ａ，６７Ｂ，６７Ｃを各々駆動する。右側バーナ１４には、イグナイタ６７Ａが設けられ、イグナイタ回路６８は、点火スイッチ１６Ａの点火操作に応じてイグナイタ６７Ａを駆動し、イグナイタ６７Ａで火花を放電させて右側バーナ１４に点火する。左側バーナ１５には、イグナイタ６７Ｂが設けられ、イグナイタ回路６８は、点火スイッチ１７Ａの点火操作に応じてイグナイタ６７Ｂを駆動し、イグナイタ６７Ｂで火花を放電させて左側バーナ１５に点火する。グリルバーナ１０には、イグナイタ６７Ｃが設けられ、イグナイタ回路６８は、点火スイッチ１１Ａの点火操作に応じてイグナイタ６７Ｃを駆動し、イグナイタ６７Ｃで火花を放電させてグリルバーナ１０に点火する。
【００３２】
ブザー装置７３は、圧電ブザー装置などの公知のブザー装置として構成されている。ブザー装置７３は、「報知部」の一例に相当し、制御回路７０から駆動信号が与えられた場合にブザー鳴動動作を行う。
【００３３】
音声装置７５は、メロディ、メッセージなどの音声を発する装置である。音声装置７５は、「報知部」の一例に相当し、スピーカとスピーカに対して音声信号を与える駆動回路とを備え、制御回路７０からの指示に対応した音声を発する。
【００３４】
表示装置７７は、複数の表示部と、これら表示部を駆動する複数の表示制御回路とを備える。表示装置７７は、「報知部」の一例に相当する。複数の表示部の中には、図１で示す表示器８２が含まれ、制御回路７０の制御によって表示器８２の表示内容を変化させうる。
【００３５】
（ガスコンロの報知処理）
次に、制御回路７０の報知処理について、図３〜図５を用いて説明する。図３は、図２の制御回路７０で実行される制御の流れを示すフローチャートである。
図３の制御の流れは、点火スイッチ１６Ａ，１７Ａ，１１Ａのいずれかを押下することで点火操作が行われることによって開始する。点火スイッチ１６Ａ，１７Ａ，１１Ａのいずれかに対して点火操作がなされると、電源回路６１から各種回路に電力が供給される。制御回路７０は、電源回路６１から電力が供給されたことを検出する（ステップＳ１１）。
【００３６】
制御回路７０は、ステップＳ１１の後、点火操作されたいずれかの点火スイッチ１６Ａ，１７Ａ，１１Ａに対応するいずれかのサーミスタ６３Ａ〜６３Ｃで検出された温度を示す温度検出値を取得する（ステップＳ１２）。例えば、点火スイッチ１６Ａが点火操作された場合、右側バーナ１４付近に配置されているサーミスタ６３Ａによって右側バーナ１４付近の温度（ガスコンロ１が室内に置かれている場合は室温）を示す温度検出値が生成される。サーミスタ６３Ａによって生成される温度検出値は、右側バーナ１４から火炎が生じる前（点火前）の状態であるため、右側バーナ１４からの火炎による影響を受けずに、室温に相当する温度が検出される。
【００３７】
同様に、点火スイッチ１７Ａが点火操作された場合、左側バーナ１５付近に配置されているサーミスタ６３Ｂによって左側バーナ１５付近の温度（ガスコンロ１が室内に置かれている場合は室温）を示す温度検出値が生成される。サーミスタ６３Ｂによって生成される温度検出値は、左側バーナ１５から火炎が生じる前（点火前）の状態であるため、左側バーナ１５からの火炎による影響を受けずに、室温に相当する温度が検出される。また、点火スイッチ１１Ａが点火操作された場合、グリル庫１２の内部又は排気路内に配置されているサーミスタ６３Ｃによってグリル庫１２の内部又は排気路内の温度（ガスコンロ１が室内に置かれている場合は室温）を示す温度検出値が生成される。サーミスタ６３Ｃによって生成される温度検出値は、グリルバーナから火炎が生じる前（点火前）の状態であるため、グリルバーナからの火炎による影響を受けずに、室温に相当する温度が検出される。
【００３８】
制御回路７０は、ステップＳ１２の後、ステップＳ１２で取得した温度検出値が正常範囲内にあるか否か（正常検出値か否か）判定する（ステップＳ１３）。ここで、ＲＯＭ７０Ｂに予め正常範囲を示す温度範囲（Ｔａ〜Ｔｂ）が記憶されており、制御回路７０は、取得された温度検出値で示される温度が正常範囲内にあるか否か判断する。図４は、サーミスタ６３Ａ〜６３Ｃで検出された温度検出値で示される温度の検出回（１回目（ｔ１）、２回目（ｔ２）、３回目（ｔ３）…の検出）に対する変化を説明する説明図である。横軸は、点火スイッチ１６Ａ，１７Ａ，１１Ａのいずれかを操作してサーミスタ６３Ａ〜６３Ｃで温度を検出した検出回である。縦軸は、ステップＳ１２で取得した温度検出値で示される温度である。例えば、Ｔａ＝−５℃、Ｔｂ＝４０℃として、正常範囲が−５℃〜４０℃の温度範囲で記憶されており、検出回ｔ１で取得された温度検出値で示される温度が２５℃である場合、温度検出値が正常検出値であり、正常範囲内であると判定される。検出回ｔ８で取得された温度検出値で示される温度が５０℃である場合、温度検出値が正常検出値ではなく、正常範囲内にないと判定される。
【００３９】
制御回路７０は、ステップＳ１３において、ステップＳ１２で取得した温度検出値が正常範囲内でないと判定した場合、処理をステップＳ１８に進め、点火操作がなされた点火スイッチ１６Ａ，１７Ａ，１１Ａに対応するバーナの点火処理を行う。ステップＳ１８の処理が終了すると、制御回路７０の報知処理が完了する。
【００４０】
制御回路７０は、ステップＳ１３において、ステップＳ１２で取得した温度検出値が正常範囲内であると判定した場合、処理をステップＳ１４に進め、ステップＳ１２で取得された温度検出値をフラッシュメモリ７０Ｄに記憶する。ＣＰＵ７０Ａは、「記憶制御部」の一例に相当し、温度検出値が正常範囲内にある場合に、サーミスタ６３Ａ〜６３Ｃから出力される温度検出値で示される温度をフラッシュメモリ７０Ｄに記憶する制御を行うように機能する。フラッシュメモリ７０Ｄに記憶される温度は、「温度検出値を反映した温度情報」の一例に相当する。
【００４１】
制御回路７０は、ステップＳ１４の後、複数回の記憶制御によってフラッシュメモリ７０Ｄに記憶された複数の温度情報に基づいて、ガスコンロ１の使用期間を算出する（ステップＳ１５）。図５は、フラッシュメモリ７０Ｄに記憶される温度情報の検出回（１回目（ｔ１１）…ｔ１２…ｔ１３…の検出）に対する変化を例示して説明する説明図である。横軸は、点火スイッチ１６Ａ，１７Ａ，１１Ａのいずれかを操作してサーミスタ６３Ａ〜６３Ｃで温度を検出した検出回である。縦軸は、ステップＳ１２で取得した温度検出値で示される温度である。図５の複数の温度情報は、点火スイッチ１６Ａ，１７Ａ，１１Ａのいずれかのみに関するデータでもよく、複数の点火スイッチに関するデータを含めたデータであってもよい。検出回の近い複数の温度を平均化したものをデータに用いてもよく、検出回の近い複数の温度の中から最も高い温度又は低い温度をデータに用いてもよい。
【００４２】
制御回路７０は、フラッシュメモリ７０Ｄに複数回記憶される温度情報に基づいて、季節の変化の回数を算出する。いずれかの時点でサーミスタ６３Ａ〜６３Ｃによって検出された温度を下回ることなく温度が所定の上昇温度幅以上上昇する上昇条件の発生回数を算出する。上昇条件の発生は、前回の極大値の発生後の最低温度を下回ることなく温度が所定の上昇温度幅以上上昇した場合に検出回数を１回として算出する。上昇条件を満たすための上昇温度幅は、例えば１０℃としてＲＯＭ７０Ｂに予め記憶している。図５に示すように、検出回ｔ１３での検出温度が１０℃であり、その後１０℃を下回ることなく検出回ｔ１４で２０℃を上回り２１℃の検出温度が検出された場合、検出回ｔ１４の時点で上昇条件が発生したことになる。検出回ｔ１３での検出温度（１０℃）は、検出回の変化に対する極小値となる。上昇条件の発生は、冬から夏への季節の変化が１回生じていることを示している。
【００４３】
検出回ｔ１１（１回目）で検出温度が検出回の変化に対する極小値（５℃）である場合、検出回ｔ１１での検出時点と検出回ｔ１３での検出時点の間の経過年数Ｐ１は１年である。検出回ｔ１４の検出時点におけるガスコンロ１の使用期間は、１年の経過に相当する経過年数Ｐ１が１回含まれるため、１年と算出される。上昇条件の発生回数がＮ回生じた場合、ガスコンロ１の使用期間は（Ｎ−１）年が経過したことになる。例えば、上昇条件の発生が３回生じたことが検出された時点（検出回ｔ１８での検出時点）で、１年の経過年数を表す経過年数Ｐ１，Ｐ２が含まれるため、ガスコンロ１の使用期間は、２年と算出される。制御回路７０は、１年単位の経過年数が算出されるごとに、１年が経過した旨の年フラグを記憶して、算出に用いた温度情報をフラッシュメモリ７０Ｄから消去していってもよい。年フラグを数えることでその後の経過年数を算出できる。
【００４４】
制御回路７０は、ステップＳ１５の後、ステップＳ１４で算出されたガスコンロ１の使用期間が所定期間に達したか否か判定する（ステップＳ１６）。ＣＰＵ７０Ａは、「判定部」の一例に相当し、複数回の記憶制御によってフラッシュメモリ７０Ｄに記憶された温度情報に基づき、ガスコンロ１の使用期間が所定期間に達したか否かを判定するように機能する。ＲＯＭ７０Ｂには、予め所定期間（例えば１０年）が記録されている。所定期間は、例えば、経年劣化したガスコンロ１に対して点検や修理が必要になることが想定される使用開始からの経過年数である。
【００４５】
制御回路７０は、ステップＳ１６において、ガスコンロ１の使用期間と所定期間とを比較し、ガスコンロ１の使用期間が所定期間に達したと判定した場合、処理をステップＳ１７に進め、報知処置を行う。制御回路７０は、例えば、ブザー装置７３を鳴動させ、所定の音（例えば、ピーという音）を発生させる。ガスコンロ１の使用期間が所定期間に達したことを報知することができ、使用者にガスコンロ１の点検や修理などの対応を促すことができる。
【００４６】
制御回路７０は、ステップＳ１７の後、点火操作がなされた点火スイッチ１６Ａ，１７Ａ，１１Ａに対応するバーナの点火処理を行う（ステップＳ１８）。ステップＳ１８の処理が終了すると、制御回路７０の報知処理が完了する。
【００４７】
制御回路７０は、ステップＳ１６において、ガスコンロ１の使用期間が所定期間に達していないと判定した場合、処理をステップＳ１８に進め、点火操作がなされた点火スイッチ１６Ａ，１７Ａ，１１Ａに対応するバーナの点火処理を行う。ステップＳ１８の処理が終了すると、制御回路７０の報知処理が完了する。
【００４８】
以下、本構成の効果を例示する。
本発明のガスコンロ１は、所定条件が成立するごとに（温度検出値が正常範囲内にあると判定されるごとに）、所定位置に配置されるサーミスタ６３Ａ〜６３Ｃによって出力される温度検出値を反映した温度情報がフラッシュメモリ７０Ｄに記憶される構成である。このような構成によって、フラッシュメモリ７０Ｄに記憶された複数の温度情報に関する温度変化などに基づいて季節の変化を特定し、特定した季節の変化に基づいてガスコンロ１の使用期間を算出することができる。そして、導出したガスコンロ１の使用期間を所定期間と比較することで、ガスコンロ１の使用期間が所定期間に達したか否か判定することができる。その上で、点火スイッチ１６Ａ，１７Ａ，１１Ａが操作されることで電源回路６１から電力が供給される構成であるため、点火スイッチ１６Ａ，１７Ａ，１１Ａを操作せずサーミスタ６３Ａ〜６３Ｃで温度検出値を出力しない間は、電源回路６１から電力が供給されることがなく電力を消費することがない。したがって、電力の消費を抑制しつつ、使用期間が所定期間に達したか否か判定することが可能なガスコンロ１を実現できる。
【００４９】
サーミスタ６３Ａ，６３Ｂは、調理容器の底部の温度を検出するとともに、室温を検出する構成である。サーミスタ６３Ｃは、グリル庫１２の内部又はグリル庫１２からの排気が流れる排気路内の温度を検出するとともに、室温を検出する構成である。サーミスタ６３Ａ〜６３Ｃを室温の検出にも利用することで、室温の検出のために別途温度センサを設ける構成に比べてコストの削減を図ることができる。
【００５０】
点火スイッチ１６Ａ，１７Ａ，１１Ａは、それぞれ右側バーナ１４、左側バーナ１５、グリルバーナを点火させるための点火操作に用いられる。電源回路６１は、点火スイッチ１６Ａ，１７Ａ，１１Ａに対して点火操作がなされた場合に電力供給を開始する。ＣＰＵ７０Ａは、点火スイッチ１６Ａ，１７Ａ，１１Ａに対して点火操作がなされた場合に温度情報をフラッシュメモリ７０Ｄに記憶する構成である。このように、点火スイッチ１６Ａ，１７Ａ，１１Ａに対する点火操作に応じて電源回路６１から電力が供給されるため、点火スイッチ１６Ａ，１７Ａ，１１Ａを操作することに起因してサーミスタ６３Ａ〜６３Ｃで温度を検出することができるようになる。そのため、サーミスタ６３Ａ〜６３Ｃで温度を検出するための電力の供給と、右側バーナ１４、左側バーナ１５、グリルバーナの点火処理に用いる電力の供給を同時に行うことができ、電力の供給制御を簡易化することができる。また、点火スイッチ１６Ａ，１７Ａ，１１Ａに対する点火操作に応じて温度情報がフラッシュメモリ７０Ｄに記憶されるため、点火スイッチ１６Ａ，１７Ａ，１１Ａを操作することに起因してフラッシュメモリ７０Ｄに温度情報を記憶させることができるようになる。そのため、点火操作ごとに温度情報をフラッシュメモリ７０Ｄに記憶することで、多くの温度情報を取得することができる。
【００５１】
ＣＰＵ７０Ａは、フラッシュメモリ７０Ｄに複数回記憶される温度情報に基づき、いずれかの時点でサーミスタ６３Ａ〜６３Ｃによって検出された温度を下回ることなく温度が所定の上昇温度幅以上上昇する上昇条件が所定回数発生した場合に、ガスコンロ１の使用期間が所定期間に達したと判定する構成である。このように、いずれかの時点でサーミスタ６３Ａ〜６３Ｃによって検出された温度を下回ることなく温度が所定の上昇温度幅以上上昇する上昇条件が発生した場合に、検出された温度の時間変化に対する極小値を検出することができる。このような温度変化の極小値は、気温が下降から上昇に転じる冬から夏への季節変化の影響を受けるものであり、季節が冬から夏に変化したことを特定することができる。以上のような季節の変化を特定できる条件の発生回数によれば、ガスコンロ１の使用期間を季節単位で特定して使用年数を算出することができる。
【００５２】
ＣＰＵ７０Ａは、サーミスタ６３Ａ〜６３Ｃから出力される温度検出値のうち、所定の温度範囲内にある正常検出値に基づいてガスコンロ１の使用期間が所定期間に達したか否かを判定する構成である。このように、所定の温度範囲内にある正常検出値に基づいてガスコンロ１の使用期間が所定期間に達したか否かを判定することで、燃焼直後などバーナの火炎の影響を受けて所定の温度範囲内にない温度検出値を用いて正確な使用期間が導出されなくなる事態を防ぐことができる。
【００５３】
また、ガスコンロ１の使用期間が所定期間に達したと判定部が判定した場合に所定報知を行うブザー装置７３を備えているため、ガスコンロ１の使用期間が所定期間に達したことを報知することができ、ガスコンロ１の点検や修理などの対応を促すことができる。
【００５４】
＜実施例２＞
次に、図６等を参照し、実施例２に係るガスコンロ１について説明する。実施例２で示すガスコンロ１は、報知処理の制御方法が実施例１のガスコンロ１と異なるだけであり、それ以外は、実施例１のガスコンロ１と同様である。そのため、実施例１のガスコンロ１と同様の部分については、同一の符号を付し、詳細な説明は省略する。実施例２のガスコンロ１は、点火スイッチ１６Ａ，１７Ａ，１１Ａに対して所定の操作が行われた回数である所定操作回数をフラッシュメモリ７０Ｄに記憶し、使用期間とともに所定操作回数を用いて報知処理を行う構成である。
【００５５】
制御回路７０の報知処理について、図６等を用いて説明する。図６は、実施例２の制御回路７０で実行される制御の流れを示すフローチャートである。
図６の制御の流れは、点火スイッチ１６Ａ，１７Ａ，１１Ａのいずれかを押下することで点火操作が行われることによって開始する。点火スイッチ１６Ａ，１７Ａ，１１Ａのいずれかに対して点火操作がなされると、電源回路６１から各種回路に電力が供給される。制御回路７０は、電源回路６１から電力が供給されたことを検出する（ステップＳ２１）。
【００５６】
制御回路７０は、ステップＳ１１の後、点火スイッチ１６Ａ，１７Ａ，１１Ａに対して点火操作が行われた回数である所定操作回数をフラッシュメモリ７０Ｄに記憶する（ステップＳ２２）。制御回路７０は、点火スイッチ１６Ａ，１７Ａ，１１Ａの点火操作が1回行われるごとに、フラッシュメモリ７０Ｄに記憶されているガスコンロ１の使用開始からの積算操作回数を１増加させる。積算操作回数は、点火スイッチ１６Ａ，１７Ａ，１１Ａそれぞれに対する操作の積算回数をそれぞれ記憶してもよく、点火スイッチ１６Ａ，１７Ａ，１１Ａそれぞれに対する操作の積算回数を合算した積算回数を記憶してもよい。
【００５７】
制御回路７０は、ステップＳ２２の後、実施例１のステップＳ１２と同様に、点火操作されたいずれかの点火スイッチ１６Ａ，１７Ａ，１１Ａに対応するいずれかのサーミスタ６３Ａ〜６３Ｃで検出された温度を示す温度検出値を取得する（ステップＳ２３）。
【００５８】
制御回路７０は、ステップＳ２３の後、実施例１のステップＳ１３と同様に、ステップＳ１２で取得した温度検出値が正常範囲内にあるか否か（正常検出値か否か）判定する（ステップＳ２４）。制御回路７０は、ステップＳ２４において、ステップＳ２３で取得した温度検出値が正常範囲内でないと判定した場合、処理を後述するステップＳ２５に進める。
【００５９】
制御回路７０は、ステップＳ２４において、ステップＳ２３で取得した温度検出値が正常範囲内であると判定した場合、実施例１のステップＳ１４と同様に、ステップＳ２３で取得した温度検出値をフラッシュメモリ７０Ｄに記憶する（ステップＳ２６）。制御回路７０は、ステップＳ２６の後、実施例１のステップＳ１５と同様に、複数回の記憶制御によってフラッシュメモリ７０Ｄに記憶された複数の温度情報に基づいて、ガスコンロ１の使用期間を算出する（ステップＳ２７）。制御回路７０は、ステップＳ２７の後、実施例１のステップＳ１６と同様に、ステップＳ２７で算出されたガスコンロ１の使用期間が所定期間に達したか否か判定する（ステップＳ２８）。
【００６０】
制御回路７０は、ステップＳ２８において、ステップＳ２７で算出されたガスコンロ１の使用期間が所定期間に達してないと判定する場合、処理をステップＳ２５に進め、ステップＳ２２で記憶した所定操作回数が閾値回数に達したか否か判定する。閾値回数は、例えば、点火スイッチ１６Ａ，１７Ａ，１１Ａの点火操作を繰り返すことによってガスコンロ１に対して点検や修理が必要になることが想定される操作回数として設定され、ＲＯＭ７０Ｂに予め記憶されている。制御回路７０は、ステップＳ２５で、ステップＳ２２で記憶した所定操作回数が閾値回数に達したと判定した場合、処理を後述するステップＳ３０に進め、閾値回数に達していないと判定した場合、処理を後述するステップＳ３１に進める。
【００６１】
制御回路７０は、ステップＳ２８において、ステップＳ２７で算出されたガスコンロ１の使用期間が所定期間に達したと判定する場合、処理をステップＳ２９に進め、ステップＳ２５と同様の処理で、ステップＳ２２で記憶した所定操作回数が閾値回数に達したか否か判定する。制御回路７０は、ステップＳ２９で、ステップＳ２２で記憶した所定操作回数が閾値回数に達したと判定した場合、処理をステップＳ３０に進め、報知処置を行う。制御回路７０は、例えば、ブザー装置７３を鳴動させ、所定の音（例えば、ピーという音）を発生させる。ガスコンロ１の使用期間が所定期間に達したことを報知することができ、使用者にガスコンロ１の点検や修理などの対応を促すことができる。制御回路７０は、ステップＳ３０の後、点火操作がなされた点火スイッチ１６Ａ，１７Ａ，１１Ａに対応するバーナの点火処理を行う（ステップＳ３１）。ステップＳ３１の処理が終了すると、制御回路７０の報知処理が完了する。
【００６２】
制御回路７０は、ステップＳ２９で、ステップＳ２２で記憶した所定操作回数が閾値回数に達してないと判定した場合、処理をステップＳ３１に進め、点火操作がなされた点火スイッチ１６Ａ，１７Ａ，１１Ａに対応するバーナの点火処理を行う（ステップＳ３１）。ステップＳ３１の処理が終了すると、制御回路７０の報知処理が完了する。
【００６３】
以下、本構成の効果を例示する。
本発明のガスコンロ１は、ＣＰＵ７０Ａが、点火スイッチ１６Ａ，１７Ａ，１１Ａに対して点火操作が行われた回数である所定操作回数をフラッシュメモリ７０Ｄに記憶する。制御回路７０は、ガスコンロ１の使用期間が所定期間に達していない場合（ステップＳ２８でＮｏ）であっても、フラッシュメモリ７０Ｄに記憶された所定操作回数が閾値回数に達した場合（ステップＳ２５でＹｅｓ）には、ブザー装置７３を鳴動させ、所定の音（例えば、ピーという音）を発生させる。このように、点火スイッチ１６Ａ，１７Ａ，１１Ａの操作回数が所定期間内に行われることを想定されていた回数よりも多いことで閾値回数に達した場合にも、報知を行うことができる。そのため、点火スイッチ１６Ａ，１７Ａ，１１Ａの操作回数が想定以上に多くても、ガスコンロ１の使用期間が所定期間に達する前に、使用者にガスコンロ１の点検や修理などが必要である旨を報知することができる。
【００６４】
制御回路７０は、ガスコンロ１の使用期間が所定期間に達したと判定した場合（ステップＳ２８でＹｅｓ）であっても、フラッシュメモリ７０Ｄに記憶された所定操作回数が閾値回数に達していない場合（ステップＳ２９でＮｏ）には、ブザー装置７３を鳴動させない。このように、点火スイッチ１６Ａ，１７Ａ，１１Ａの操作回数が所定期間内に行われることを想定されていた回数よりも少ないことで閾値回数に達していない場合に、報知を行わないようにすることができる。そのため、ガスコンロ１の点検や修理などが必要である旨を使用者に報知する必要がない場合に、不要な報知を阻止できる。
【００６５】
＜他の実施例＞
本発明は上記記述及び図面によって説明した実施例に限定されるものではなく、例えば次のような例も本発明の技術的範囲に含まれる。また、上述した実施例や後述する実施例の特徴は矛盾しない範囲でどのように組み合わせてもよい。
【００６６】
上記実施例１，２のガスコンロ１は、季節変化の回数の算出に、上昇条件の発生回数を用いたが、下降条件の発生回数を用いてもよい。季節変化の回数の算出において、いずれかの時点でサーミスタ６３Ａ〜６３Ｃによって検出された温度を上回ることなく温度が所定の下降温度幅以上下降する下降条件の発生回数を算出する。下降条件の発生は、前回の極小値の発生後の最高温度を下回ることなく温度が所定の下降温度幅以上下降した場合に検出回数を１回として算出する。下降条件を満たすための下降温度幅は、例えば１０℃としてＲＯＭ７０Ｂに予め記憶している。図５に示すように、検出回ｔ１５での検出温度が３５℃であり、その後３５℃を上回ることなく検出回ｔ１６で１５℃を下回り１４℃の検出温度が検出された場合、検出回ｔ１６の時点で下降条件が発生したことになる。検出回ｔ１５での検出温度（３５℃）は、検出回の変化に対する極大値となる。下降条件の発生は、夏から冬への季節の変化が１回生じていることを示している。検出回ｔ１６の検出時点におけるガスコンロ１の使用期間は、１年の経過に相当する経過年数Ｑ１が１回含まれるため、１年と算出される。下降条件の発生回数がＮ回生じた場合、ガスコンロ１の使用期間は（Ｎ−１）年が経過したことになる。
【００６７】
季節変化の回数の算出に、上昇条件及び下降条件の両方の発生回数を用いてもよい。例えば、図５に示すように、検出回ｔ２０の検出時点におけるガスコンロ１の使用期間は、１年の経過に相当する経過年数Ｐ１，Ｑ１がそれぞれ２回含まれ、重複する期間を考慮すると（例えば、経過年数Ｐ１の２回と、Ｑ２の半分を用い）、２年と半年が経過したことになる。
【００６８】
上記実施例１，２のガスコンロ１は、上昇条件、下降条件を用いる方法とは異なるその他の方法で季節変化の回数を算出してもよい。例えば、高温側の閾値（高温閾値）を設け、検出回の変化に応じて検出温度が高温閾値を所定回数上回った場合に、夏であることを検出し、低温側の閾値（低温閾値）を設け、検出回の変化に応じて検出温度が低温閾値を所定回数下回った場合に、冬であることを検出してもよい。夏又は冬の検出回数で使用年数を算出してもよい。また、統計データなどにより、一日当たりの平均使用回数を推測し、所定年数（例えば、１０年）で想定される使用回数（総使用回数）を基準回数として決めておいてもよい。そして、ガスコンロ１での点火操作直後の温度を点火操作毎にサーミスタ６３Ａ〜６３Ｃで計測し、所定の温度範囲（例えば−１０℃〜４０℃）の温度検出値が得られた累積回数をフラッシュメモリ７０Ｄに記憶するようにしてもよい。そして、その累積回数が基準回数に達した場合を「使用期間が所定期間に達した場合」としてもよい。
【００６９】
上記実施例１，２のガスコンロ１は、報知処理（ステップＳ１７、ステップＳ３０）において、ブザー装置７３を鳴動させる以外にも、制御回路７０の制御によって、音声装置７５にメロディ、メッセージなどの音声を発生させたり、表示装置７７にメッセージを表示させたり、これらの処理を組み合わせて行ってもよい。
【００７０】
上記実施例１，２のガスコンロ１は、報知処理（ステップＳ１７、ステップＳ３０）として、ブザー装置７３を鳴動させる以外にも、制御回路７０の制御によって、バーナの最大火力を正常状態のときの最大火力よりも低い低レベル状態に制限してもよい。ＣＰＵ７０Ａは、「報知部」「制御部」の一例に相当する。制御回路７０の制御によって、音声装置７５にメロディ、メッセージなどの音声を発生させたり、表示装置７７にメッセージを表示させてもよい。上記の報知処理を組み合わせて行ってもよい。
【００７１】
上記実施例２のガスコンロ１は、使用期間が所定期間に達せず、且つ所定操作回数が閾値回数に達した場合（ステップＳ２８でＮｏ、ステップＳ２５でＹｅｓ）のステップＳ３０での報知処理と、使用期間が所定期間に達し、且つ所定操作回数が閾値回数に達した場合（ステップＳ２８でＹｅｓ、ステップＳ２５でＹｅｓ）のステップＳ３０での報知処理と、においてそれぞれ異なる報知処理を行ってもよい。使用者が報知処理によって使用期間が所定期間に達したか否か知ることができる。
【００７２】
上記実施例１，２のガスコンロ１は、「記憶部」の一例として、フラッシュメモリ７０Ｄを例示したが、ＥＥＰＲＯＭなどのその他の不揮発性メモリであってもよい。
【００７３】
上記実施例１，２のガスコンロ１は、温度情報の記憶処理（ステップＳ１４、ステップＳ２６）において、フラッシュメモリ７０Ｄに温度を記憶したが、温度以外にも前回検出時の温度からの差分などの温度を加工した情報（「温度検出値を反映した温度情報」の一例に相当）であってもよい。
【００７４】
上記実施例１，２のガスコンロ１において、サーミスタ６３Ａ〜６３Ｃ以外にバーナの火炎の影響を受けないように別途室温の検出が可能な温度センサを設けてもよい。室温が正確に検出できるため、季節変化の検出をより確実に行える。
【００７５】
上記実施例１，２のガスコンロ１において、点火スイッチ１６Ａ，１７Ａ，１１Ａが点火操作された場合に電力供給を行いフラッシュメモリ７０Ｄに温度を記憶する構成の代わりに、点火スイッチ１６Ａ，１７Ａ，１１Ａが消火操作された場合や、操作レバー１６Ｂ，１７Ｂ，１１Ｂ，１１Ｃを操作した場合などのその他のガスコンロ１の操作時に、電力供給を行いフラッシュメモリ７０Ｄに温度を記憶する構成であってもよい。
【符号の説明】
【００７６】
１…ガスコンロ、２…筐体部、１１Ａ，１６Ａ，１７Ａ…点火スイッチ（操作部、点火操作部）、１４…右側バーナ（ガスバーナ）、１５…左側バーナ（ガスバーナ）、６０…乾電池（電池）、６１…電源回路（電源部）、６３Ａ〜６３Ｃ…サーミスタ（温度センサ）、７０Ａ…ＣＰＵ（記憶制御部、判定部、報知部、制御部）、７０Ｄ…フラッシュメモリ（記憶部）、７３…ブザー装置（報知部）、７５…音声装置（報知部）、７７…表示装置（報知部）
【図１】
2019007655.tif 000003
【図２】
2019007655.tif 000004
【図３】
2019007655.tif 000005
【図４】
2019007655.tif 000006
【図５】
2019007655.tif 000007
【図６】
2019007655.tif 000008